(57)【要約】【課題】サブハウジングを取り外す際に雄端子金具が保護キャップの内面に当接して変形することを抑止する。【解決手段】タブ３２を備えた雄端子金具３０が挿入されるサブハウジング４０と、サブハウジング４０に装着されタブ３２を覆うことで保護する保護キャップ８０と、を備えた分割コネクタ用保護キャップ付きサブコネクタにおける保護キャップの取り外し構造であって、前記サブハウジング４０の側壁４９には係止凹部５０が形成され、保護キャップ８０の係止凹部５０と対向する内面には、係止凹部５０に係止可能な弾性係止片８１が形成され、弾性係止片８１を押圧することで、係止凹部５０から離脱する方向に弾性係止片８１を弾性変形させる解除部当接面８４Ａを有する解除治具７０を備えたことを特徴とする分割コネクタ用保護キャップ付きサブコネクタにおける保護キャップの取り外し構造。【選択図】図７
2010262907.tif 000002
【特許請求の範囲】
【請求項１】
タブを有する雄端子金具が挿入されたサブハウジングと、前記サブハウジングに装着され前記タブを覆うことで保護する保護キャップと、を備えた分割コネクタ用保護キャップ付きサブコネクタにおける保護キャップの取り外し構造であって、
前記サブハウジングの側壁には係止受け部が形成され、
前記保護キャップの前記係止受け部と対向する内面には、前記係止受け部に係止可能な弾性係止片が形成され、
前記弾性係止片を押圧することで、前記係止受け部から離脱する方向に前記弾性係止片を弾性変形させる解除部を有する解除治具を備えたことを特徴とする分割コネクタ用保護キャップ付きサブコネクタにおける保護キャップの取り外し構造。
【請求項２】
前記保護キャップは、前後方向に貫通された筒状をなし、一方の開口面から前記サブハウジングが挿入されて取り付けられるとともに、他方の開口面から前記解除治具の前記解除部を挿入可能となっていることを特徴とする請求項１に記載の分割コネクタ用保護キャップ付きサブコネクタにおける保護キャップの取り外し構造。
【請求項３】
前記解除治具は、前記保護キャップを嵌合可能な嵌合部と、前記嵌合部の内面に形成され前記保護キャップの側壁に形成された保持部と係合する保持受け部とを備え、
前記保護キャップを前記嵌合部に嵌合させた際に、前記解除部が前記弾性係止片を押圧するとともに、前記保持部が前記保持受け部と係合することを特徴とする請求項１又は２に記載の分割コネクタ用保護キャップ付きサブコネクタにおける保護キャップの取り外し構造。
【請求項４】
前記弾性係止片は、前記解除部の挿入方向に向かうにつれて前記係止受け部側へ傾斜する解除部当接面を有した片持ち状をなし、
前記解除部は、前記解除部当接面を押圧することで、前記係止受け部から離脱する方向に前記弾性係止片を弾性変形させることを特徴とする請求項１ないし３のいずれか一項に記載の分割コネクタ用保護キャップ付きサブコネクタにおける保護キャップの取り外し構造。
【請求項５】
前記解除治具は、固定部材に固定可能な固定部を備えたことを特徴とする請求項１ないし４のいずれか一項に記載の分割コネクタ用保護キャップ付きサブコネクタにおける保護キャップの取り外し構造。
【発明の詳細な説明】
【技術分野】
【０００１】
本発明は、分割コネクタ用保護キャップ付きサブコネクタにおける保護キャップの取り外し構造に関する。
【背景技術】
【０００２】
従来、サブハウジングに雄端子金具をそれぞれ挿入し、サブコネクタとした後、複数のサブコネクタをフレームに組み付けてなる分割コネクタが知られている（下記特許文献１）。下記文献の分割コネクタにおけるサブコネクタは、フレームに組み付けられるまでは、サブハウジングから雄端子金具のタブが露出する構成となっている。このため、サブコネクタには露出したタブを保護する保護キャップが装着され、運搬時のタブの変形を防止している。保護キャップとサブコネクタとのロックは、保護キャップに形成された弾性片に設けられた保持突部を、サブコネクタ側の被保持部に係止させることで行う構成となっている。
【先行技術文献】
【特許文献】
【０００３】
【特許文献１】特開２００４−３４８９８９号公報
【発明の概要】
【発明が解決しようとする課題】
【０００４】
サブコネクタをフレームに組み付けるためには、手作業にて保護キャップをサブコネクタから取り外しておく必要がある。上記特許文献１では、サブコネクタと保護キャップとを互いに離脱させるように引っ張ると、保持突部が被保持部に押される。これにより、弾性片が外側に弾性変形することで、保持突部が被保持部から離脱する構成となっている（セミロック構造）。すなわち、サブコネクタから保護キャップを取り外すためには、弾性片を弾性変形させるための力が必要となる。このため、比較的強い力でサブコネクタと保護キャップとを引っ張ることとなる。その結果、図２０に示すようにサブコネクタ１と保護キャップ２との装着方向に対して、サブコネクタ１が傾いてしまうことがある。このような場合、タブ３が保護キャップ２の内面に当接して変形する虞がある。
本発明は上記のような事情に基づいて完成されたものであって、その目的は保護キャップを取り外す際に雄端子金具が変形することを抑止するところにある。
【課題を解決するための手段】
【０００５】
本発明は、タブを備えた雄端子金具が挿入されるサブハウジングと、前記サブハウジングに装着され前記タブを覆うことで保護する保護キャップと、を備えた分割コネクタ用保護キャップ付きサブコネクタにおける保護キャップの取り外し構造であって、前記サブハウジングの側壁には係止受け部が形成され、前記保護キャップの前記係止受け部と対向する内面には、前記係止受け部に係止可能な弾性係止片が形成され、前記弾性係止片を押圧することで、前記係止受け部から離脱する方向に前記弾性係止片を弾性変形させる解除部を有する解除治具を備えたことに特徴を有する。
【０００６】
本発明において、サブハウジングから保護キャップを取り外すには次のようにする。作業者が解除治具の解除部で弾性係止片を押圧すると、解除部が弾性係止片を係止受け部から離脱する方向に弾性変形させる。これにより、弾性係止片と係止受け部との係止が解除される。次にサブハウジングと保護キャップとを引っ張ってやれば、サブハウジングから保護キャップを取り外すことができる。このように、解除治具によって、弾性係止片と係止受け部との係止が解除された状態で保護キャップを取り外すことができるから、必要最小限の力で取り外し作業を行うことができる。このため、強い力でサブハウジングを引っ張る必要がなく、保護キャップとサブハウジングとの装着方向に対して、サブハウジングが傾いてしまうことを抑止できる。これにより、取り外し作業時に、保護キャップの内面にサブコネクタのタブが当接することを抑止できる。
【０００７】
本発明の実施態様として、以下の構成とすることが好ましい。
（１）前記保護キャップは、前後方向に貫通された筒状をなし、一方の開口面から前記サブハウジングが挿入されて取り付けられるとともに、他方の開口面から前記解除治具の前記解除部を挿入可能となっている。このような構成とすれば、サブハウジングが挿入される側の反対側から解除治具を挿入することができるから、解除治具の解除部とサブハウジングとが干渉せず、作業性がよい。
【０００８】
（２）前記解除治具は、前記保護キャップを嵌合可能な嵌合部と、前記嵌合部の内面に形成され、前記保護キャップの側壁に形成された保持部と係合する保持受け部とを備え、前記保護キャップを前記嵌合部に嵌合させた際に、前記解除部は前記弾性係止片を押圧するとともに、前記保持部は前記保持受け部と係合することを特徴とする。
【０００９】
このような構成とすれば、解除治具に保護キャップを嵌合させると、解除部によって保護キャップとサブハウジングとの係止が解除される。これと同時に、解除治具の保持受け部が保護キャップの保持部と係合して保護キャップは解除治具に保持される。これにより、サブハウジングから保護キャップを取り外す際に、保護キャップを保持する必要がなく、取り外し作業が容易となる。
【００１０】
（３）前記弾性係止片は、前記解除部の挿入方向に向かうにつれて前記係止受け部側へ傾斜する解除部当接面を有した片持ち状をなし、前記解除部は、前記解除部当接面を押圧することで、前記係止受け部から離脱する方向に前記弾性係止片を弾性変形させることを特徴とする。
【００１１】
（４）前記解除治具には、壁部を貫通して、解除治具を固定するための固定孔が形成されていることを特徴とする。固定孔に固定用のビスなどを挿通することで解除治具を任意の箇所に固定できる。このため、保護キャップ取り外し作業時に解除治具を手で把持する必要がなく、作業性がよい。
【発明の効果】
【００１２】
本発明によれば、サブハウジングから保護キャップを取り外す際に雄端子金具が変形することを抑止できる。
【図面の簡単な説明】
【００１３】
【図１】本発明の一実施形態に係る保護キャップ取り外し構造を示す平断面図
【図２】フレームへのサブコネクタの組み付けを示す一部切欠側面図
【図３】サブハウジングへの雄端子金具の挿入作業を示す側面図
【図４】保護キャップとサブハウジングを示す平面図
【図５】保護キャップとサブハウジングを示す一部切欠平面図
【図６】保護キャップ取り外し構造を示す側断面図
【図７】保護キャップ取り外し構造を示す平断面図
【図８】保護キャップを示す正面図
【図９】保護キャップ取り外し構造を示す平面図
【図１０】解除治具を示す背面図
【図１１】保護キャップとサブハウジングの組み付けを示す側面図
【図１２】サブハウジングへの雄端子金具の挿入作業を示す平面図
【図１３】サブコネクタと解除治具との組み付けを示す平面図
【図１４】保護キャップ取り外し構造を示す側面図
【図１５】図９のＡ−Ａ線断面図
【図１６】サブコネクタと解除治具との組み付けを示す側面図
【図１７】サブコネクタから保護キャップを取り外した状態の平断面図
【図１８】サブコネクタから保護キャップを取り外した状態の側断面図
【図１９】解除治具から保護キャップを取り外した状態の側断面図
【図２０】従来の保護キャップ取り外し作業を示す側断面図
【発明を実施するための形態】
【００１４】
＜実施形態＞
（１）構成
本発明の実施形態を図１ないし図１９によって説明する。本実施形態の保護キャップ取り外し構造は、保護キャップ８０が装着された状態のサブコネクタ１１（分割コネクタ用保護キャップ付きサブコネクタ）から、解除治具７０を使用して、保護キャップ８０を取り外すものである。図２に示すように解除治具７０によって保護キャップ８０が取り外された状態の複数のサブコネクタ１１（図では１つのみ図示）がフレーム２０に組みつけられることで分割コネクタ１０が構成される。なお、分割コネクタ１０は、不図示の雌側の分割コネクタと嵌合可能となっている。なお、以下の説明では、図１の左側を前方、図１の右側を後方とし、図６の上下を上下方向とする。
【００１５】
図３に示すように、サブコネクタ１１は、電線Ｗの端末に接続された雄端子金具３０と、雄端子金具３０を挿抜可能なサブハウジング４０と、サブハウジング４０に装着されるリテーナ６０と、から構成される。
【００１６】
雄端子金具３０は導電性に優れた金属板により形成され、角筒状をなす本体部３１の先端からタブ３２が突設され、後端側に設けられたバレル３３をかしめることで電線Ｗの端末に固着されている。本体部３１の前側は、下面を開口してランス孔３４が形成されている。本体部３１の後端部には、リテーナ６０が係止される係止段部３５が形成されている。この係止段部３５には、リテーナ６０が係止可能な突部３６が叩き出して形成されている。
【００１７】
サブハウジング４０は、合成樹脂製とされ、略ブロック状をなしている。サブハウジング４０の上壁４０Ａの前端部には、係合凹部４８が凹設されている（図４参照）。この係合凹部４８は、後述するフレーム２０の仕切壁２３から突出する係合突部２３Ａに係合することで、収容室２２にサブハウジング４０を固定する機能を担っている。
【００１８】
サブハウジング４０の内部には前後方向に沿って貫通することでキャビティ（不図示）が形成されており、後方から雄端子金具３０を、それぞれ挿入可能となっている。キャビティ内には雄端子金具３０のランス孔３４に係止可能なランス（不図示）が形成されている。キャビティの前端は、サブハウジング４０の前壁を貫通しており、雄端子金具３０をサブハウジング４０に装着した状態では、タブ３２がサブハウジング４０の前方へ突出する構成となっている。
【００１９】
サブハウジング４０の両側壁４９の前側には、係止凹部５０（係止受け部）がそれぞれ凹設されている。係止凹部５０は後述する保護キャップ８０の係止突部８７が嵌合可能となっており、保護キャップ８０に対して、サブハウジング４０を前後方向に規制することで、正規位置（図１の位置）に固定可能な構成となっている。
【００２０】
リテーナ６０は、サブハウジング４０の下壁を開口して形成されたリテーナ装着部４５に浅く嵌合して雄端子金具３０の挿抜を許容する退避位置（図３の位置）と、リテーナ装着部４５に深く嵌合して、サブハウジング４０内に挿入された雄端子金具３０に二次係止する係止位置（図６の位置）との間で上下方向に移動可能とされる。なお、前述した正規位置において、リテーナ装着部４５は、保護キャップ８０には覆われず露出しており（図３参照）、保護キャップ８０をサブハウジング４０に装着した状態でリテーナ６０を退避位置から係止位置へと押し込むことが可能となっている。
【００２１】
保護キャップ８０はサブハウジング４０に装着されることで、タブ３２の周囲を覆って保護し、サブコネクタ１１の運搬時などに、タブ３２が変形することを防止するものである。図５に示すように、保護キャップ８０は合成樹脂製とされ、内部が前後方向に貫通された角筒状をなしている。保護キャップ８０内部の後側（一方の開口面）はサブハウジング４０が収容可能な大きさに開口されたハウジング収容室８６となっており、前側は雄端子金具３０のタブ３２を取り囲んで保護するタブ収容室８５となっている。また、前側（他方の開口面）から後述する解除治具７０の解除部７４を挿入可能となっている。
【００２２】
図５及び図６に示すように、保護キャップ８０の各側壁８０Ａ（係止凹部５０とそれぞれ対向する内面）の下方には、各側壁８０Ａと一体的に、弾性係止片８１がそれぞれ設けられている。弾性係止片８１は、側壁８０Ａの内面から立ち上がる基端部８２と、前後方向に沿って後方に延出された先端部８３と、基端部８２と先端部８３とを連結する連結部８４から構成された片持ち状をなしている。弾性係止片８１は、基端部８２を支点として図５の上下方向（サブハウジング４０の係止凹部５０に対して、接近離間する方向）へ弾性変形することが可能となっている。
【００２３】
弾性係止片８１の先端部８３には、内側へ突出して係止突部８７が形成されている。係止突部８７の突き出し高さは弾性係止片８１が自然状態（図１の状態）において、サブハウジング４０の係止凹部５０に係止可能な高さで設定され、弾性係止片８１が外側に弾性変形した状態（図７の状態）で、係止凹部５０から離脱する高さで設定されている。また、弾性係止片８１の係止突部８７の後端面８７Ａは、後側に向かうにつれて外側に傾斜しており、係止突部８７の前端面８７Ｂは、先端部８３の延設方向（前後方向）に対して直交している。
【００２４】
弾性係止片８１の連結部８４は、後側（後述する解除治具７０の解除部７４の挿入方向）に向かうにつれて内側（係止凹部５０側）へ傾斜する形状をなしており、連結部８４の前側の面は、後述する解除治具７０の解除部７４が当接する解除部当接面８４Ａとされる。また、図６に示すように、保護キャップ８０の底壁８０Ｂには下方に突出して、保持突部８８が形成されている。
【００２５】
解除治具７０は、サブハウジング４０係止凹部５０と弾性係止片８１の係止突部８７とのロックを解除するために用いられ、合成樹脂製の略箱型をなす嵌合部７１と、正面視で嵌合部７１より一回り大きく設定された板状をなす固定部７２から構成されている。
【００２６】
嵌合部７１の内部には、保護キャップ８０の前側を収容可能な大きさで、後側に開口された保護キャップ収容室７３が形成されており、嵌合部７１に保護キャップ８０を嵌合可能な構成となっている。保護キャップ収容室７３の奥側の壁面（固定部７２の一部）からは、前述した各弾性係止片８１に対応した解除部７４がそれぞれ後方に延設されている。
【００２７】
解除部７４は、前後方向に沿った板状をなしており、解除部７４の先端には外側に突き出した当接突部７４Ａが形成されている。解除部７４の前後方向の長さは、保護キャップ収容室７３の奥側に保護キャップ８０の前端が当接した状態（図７の状態）において、当接突部７４Ａが弾性係止片８１の解除部当接面８４Ａを超えて後側に達する長さで設定されている。
【００２８】
図８に示すように、各解除部７４（図８の２点鎖線）は、正面視で各弾性係止片８１の解除部当接面８４Ａに対応する箇所に形成されている。これにより、保護キャップ収容室７３に保護キャップ８０を嵌合させると、各解除部７４の当接突部７４Ａが対応する解除部当接面８４Ａをそれぞれ前方（図１の左側）から押圧する構成となっている。
【００２９】
また、図１に示すように、両解除部７４において、一方の当接突部７４Ａの先端から、他方の当接突部７４Ａの先端までの距離Ｌ１は、両弾性係止片８１の先端部８３間の対向距離Ｌ２より、大きく設定されている。これにより、図７の状態では、各当接突部７４Ａが対応する先端部８３をそれぞれ外側に押圧することで、各弾性係止片８１を外側に変形させる構成となっている。
【００３０】
図６に示すように解除治具７０の底壁７０Ｂの内面において、保護キャップ８０の底壁８０Ｂに形成された保持突部８８と対向する箇所には、保持突部８８と係合可能な保持受け部７６が突設されている。なお、保持受け部７６及び保持突部８８は、それぞれ突出高さが縮む方向に弾性変形可能となっている。
【００３１】
解除治具７０の上壁７０Ａ及び底壁７０Ｂの後側は、前方に凹設された開口凹部７５とされる。開口凹部７５は、湾曲をなしており、図９に示すように、解除治具７０に保護キャップ８０を嵌合させた状態で、保護キャップ８０の壁部が開口凹部７５から露出する構成となっている。これにより、作業者は後側（図９の右側）から両開口凹部７５に指を差し入れて保護キャップ８０を把持することが可能な構成となっている。
【００３２】
図１０に示すように、固定部７２は背面視で矩形状をなし、固定部７２の周囲四隅を前後方向に貫通して固定孔７２Ａが形成されている。この固定孔７２Ａに図示しないビスを挿通させることで、例えば工程内に設置された作業台の壁部１２（固定部材の一例、図１のみ図示）に解除治具７０を固定可能な構成となっている。
【００３３】
図２に示すように、フレーム２０は、合成樹脂製であって略箱形状をなしている。フレーム２０の前部にはフード部２１が前方へ開口して形成されている。フード部２１には、前述した雄端子金具３０のタブ３２が収容される。フレーム２０の後部は、後方に開口されており、仕切壁２３によって仕切られることで図２の上下方向に整列した複数個（本実施形態では４個）の収容室２２が形成されている。各収容室２２は、フード部２１に連通して前後に貫通した略長方形状をなしており、サブコネクタ１１のサブハウジング４０が収容可能な大きさに設定されている。
【００３４】
（２）保護キャップの取付及び取外し手順
（２−１）保護キャップ取付工程
まず、リテーナ６０が退避位置で組みつけられた状態のサブハウジング４０を保護キャップ８０の前側から挿入する（図１１参照）。サブハウジング４０を後方に移動させてゆくと、各弾性係止片８１における係合突部８７の後端面８７Ａがサブハウジング４０の各側壁４９の前端にそれぞれ押圧され、各弾性係止片８１が外側に弾性変形する。さらに、サブハウジング４０を後方に移動させてゆき、各係合突部８７が各係合凹部５０に達すると、各弾性係止片８１は弾性復帰する。これにより、各係合突部８７が各係合凹部５０にそれぞれ係合し、保護キャップ８０内において、サブハウジング４０が正規位置で位置決めされる（図１参照）。
【００３５】
（２−２）雄端子金具挿入工程
次に、正規位置で位置決めされたサブハウジング４０の各キャビティに対して、対応する雄端子金具３０を後方から挿入する（図１２参照）。そして、キャビティ内に形成されたランス（不図示）がランス孔３４と係止する結果、雄端子金具３０がサブハウジング４０から離脱する後方への移動が規制される（一次係止）。これと同時にタブ３２がサブハウジング４０の前方から突出し、保護キャップ８０のタブ収容室８５内に収容された状態となる（図６参照）。
【００３６】
（２−３）リテーナ挿入工程
すべてのキャビティに雄端子金具３０を、それぞれ一次係止させた後、リテーナ６０を退避位置から、係止位置に押し込んでやる。これにより、リテーナ６０によって雄端子金具３０の二次係止がされる。以上の工程により、サブコネクタ１１の組み立てが完成する（図６参照）。
【００３７】
上記の（２−１）〜（２−３）の工程を繰り返して、保護キャップ８０が装着された状態のサブコネクタ１１を複数個組み立てた後、複数個のサブコネクタ１１は、まとめて次の工程（保護キャップ取り外し工程）へ運搬される。このとき、タブ３２は保護キャップ８０に覆われて保護されている。このため、運搬時にタブ３２が変形することを防止できる。
【００３８】
（２−４）保護キャップ取り外し工程
次に、解除治具７０を使用して、サブハウジング４０から保護キャップ８０の取り外しを行う。解除治具７０は、固定部７２の固定孔７２Ａをビス止めすることによって、工程内の作業台の壁部１２に固定されているものとする。まず、作業者は図１３に示すように、解除治具７０の開口側（図１及び図１３の右側）から、保護キャップ８０を挿入する。解除治具７０の保護キャップ収容室７３内に保護キャップ８０を挿入してゆくと、弾性係止片８１の解除部当接面８４Ａは、各解除部７４の当接突部７４Ａに前方から押圧される。これにより、各解除部７４によって、弾性係止片８１が外側に弾性変形される。
【００３９】
さらに、保護キャップ８０を嵌合部７１に挿入させてゆくと、保護キャップ８０の前側が嵌合部７１の奥壁に当接し、保護キャップ８０が嵌合部に嵌合される。この状態では、図７に示すように、当接突部７４Ａは弾性係止片８１の先端部８３に達し、各弾性係止片８１は、外側に弾性変形した状態で保持される。これによって、係止突部８７が、サブハウジング４０の係止凹部５０から離脱した状態となり、保護キャップ８０とサブコネクタ１１とのロックが解除される（図７及び図１４参照）。
【００４０】
また、保護キャップ８０の挿入過程においては、保護キャップ８０の保持突部８８が、解除治具７０の保持受け部７６に後方から当接する。これにより、保持突部８８と保持受け部７６とがわずかに弾性変形する。そして、保持突部８８が保持受け部７６を乗り超えて、その前側に達すると、両者は弾性復帰する。これにより、図１５に示すように、保持突部８８と保持受け部７６とが係止され、解除治具７０と保護キャップ８０とがロックされる。
【００４１】
次に、作業者はサブハウジング４０を把持し、保護キャップ８０から離脱させるように引っ張る。このとき、保護キャップ８０とサブコネクタ１１とのロックは解除されており、解除治具７０と保護キャップ８０とはロックされている。このため、サブコネクタ１１から保護キャップ８０を取り外すことができる（図１６〜図１８参照）。
【００４２】
次に、解除治具７０に対して保護キャップ８０を後方へ引っ張ってやると、保持突部８８と保持受け部７６とが弾性変形することで、両者のロックが解除され、保護キャップ８０を解除治具７０から取り外すことができる（図１９参照）。これにより、保護キャップ８０が装着された状態の他のサブコネクタ１１に対して、引き続き保護キャップ取り外し作業を行うことができる。
【００４３】
（２−５）フレーム組み付け工程
次に、保護キャップ８０が取り外されたサブコネクタ１１を、図１に示すように、フレーム２０の後方から収容室２２に挿入する。これにより、仕切壁２３から突出する係合突部２３Ａと、サブハウジング４０の係合凹部４８とが係合する。これと同時に、サブコネクタ１１のタブ３２はフレーム２０のフード部２１内に収容される。上記のようにして、各収容室２２に各サブコネクタ１１をそれぞれ組み付けてゆき、分割コネクタ１０の組み付けが完了する。
【００４４】
（３）効果
以上、説明したように、本実施形態の保護キャップ取り外し構造では、解除治具７０に保護キャップ８０を嵌合させることで、保護キャップ８０とサブコネクタ１１とのロックが解除される。これにより、保護キャップ８０とサブコネクタ１１とのロックが解除された状態で保護キャップ８０を取り外すことができるから、必要最小限の力で取り外し作業を行うことができる。このため、強い力でサブハウジング４０を引っ張る必要がなく、保護キャップ８０とサブハウジング４０との装着方向（前後方向）に対して、サブハウジング４０が傾いてしまうことを抑止できる。この結果、保護キャップ８０の取り外し作業中に、雄端子金具３０のタブ３２が保護キャップ８０の内壁に当接することを抑止でき、タブ３２が変形することを抑止できる。
【００４５】
また、本実施形態の保護キャップ取り外し構造においては、解除治具７０を使用することで、保護キャップ８０とサブコネクタ１１とのロックを解除できる構成としてある。このため、運搬時などに保護キャップ８０とサブコネクタ１１とのロックが解除され、保護キャップ８０が外れてしまう事態を抑止できる。
【００４６】
また、本実施形態の保護キャップ取り外し構造においては、保護キャップ８０にサブコネクタ１１とのロックをする弾性係止片８１を形成し、ロックを解除するための解除部７４は解除治具７０に形成した。このような構成とすれば、保護キャップ８０にロック解除のための構成を設ける場合と比較して、保護キャップ８０を簡易な構成にすることができる。解除治具７０は取り外し工程に最低１つ設置すればよいのに対して、保護キャップ８０はサブコネクタ１１と同数必要となるから、保護キャップ８０が簡易な構成であれば、コスト低減の効果が期待できる。
【００４７】
また、保護キャップ８０はサブハウジング４０が挿入される側の反対側から解除治具７０を取り付ける構成となっている。このため、解除治具７０の解除部７４が、サブハウジング４０と干渉することがなく作業性がよい。
【００４８】
また、解除治具７０に保護キャップ８０を嵌合させると、解除治具７０の保持受け部７６が保護キャップ８０の保持突部８８と係合して保護キャップ８０は解除治具７０に保持される。これにより、サブハウジング４０から保護キャップ８０を取り外す際に、保護キャップ８０を保持する必要がなく、取り外し作業が容易となる。
【００４９】
また、解除治具７０は固定孔７２Ａによって固定可能な構成となっているため、保護キャップ取り外し作業時に解除治具７０を把持する必要がなく作業性がよい。
【００５０】
＜他の実施形態＞
本発明は上記記述及び図面によって説明した実施形態に限定されるものではなく、例えば次のような実施形態も本発明の技術的範囲に含まれる。
（１）上記実施形態では、サブハウジング４０の係止受け部を凹部とし、これに弾性係止片８１の係止突部８７を係止させる構成としたが、これに限定されない。例えば、サブハウジング４０の係止受け部を突部とし、弾性係止片８１に形成した凹部に係止させることで、保護キャップ８０とサブハウジング４０とのロックをする構成としてもよい。
【００５１】
（２）上記実施形態では、保持部（保持突部８８）と保持受け部７６を共に、突き出した形状としたが、これに限定されない。例えば、保持部又は保持受け部のいずれか一方を凹部とし、他方と係止させる構成としてもよい。
【符号の説明】
【００５２】
１１…サブコネクタ
１２…作業台の壁部（固定部材）
３０…雄端子金具
３２…タブ
４０…サブハウジング
４９…サブハウジングの側壁
５０…係止凹部（係止受け部）
７０…解除治具
７１…嵌合部
７２Ａ…固定孔
７４…解除部
７６…保持受け部
８０…保護キャップ
８１…弾性係止片
８４Ａ…解除部当接面
８８…保持突部（保持部）
【図１】
2010262907.tif 000003
【図２】
2010262907.tif 000004
【図３】
2010262907.tif 000005
【図４】
2010262907.tif 000006
【図５】
2010262907.tif 000007
【図６】
2010262907.tif 000008
【図７】
2010262907.tif 000009
【図８】
2010262907.tif 000010
【図９】
2010262907.tif 000011
【図１０】
2010262907.tif 000012
【図１１】
2010262907.tif 000013
【図１２】
2010262907.tif 000014
【図１３】
2010262907.tif 000015
【図１４】
2010262907.tif 000016
【図１５】
2010262907.tif 000017
【図１６】
2010262907.tif 000018
【図１７】
2010262907.tif 000019
【図１８】
2010262907.tif 000020
【図１９】
2010262907.tif 000021
【図２０】
2010262907.tif 000022